(57)【要約】      （修正有）【課題】自分の夢や目標や願いごとを明確にし、それに向けての思考や行動等の動機づけ及び毎日の行動等を起こすためのきっかけとなり、その実現に対しての熱意や思い入れを刺激することで夢や願いごとや目標の実現を支援するための容器具を提供する。【解決手段】自分の夢や目標や願いごとを記入することのできる容器１とその容器１に毎日あるいは定期的不定期的に入れることのできる、夢や目標や願いごとを記入できるコイン状のもの２を用意し、コイン状のもの２を容器１に入れて、貯金箱にコインを貯め込んでいくようにすることで、自分の書いた夢や目標や願いごとが積み上がっていくことが確認でき、夢の実現や目標の達成までの熱意を持続させることができるものである。【選択図】図１
0003118792.tif 000002
【実用新案登録請求の範囲】
【請求項１】
容器１の内部若しくは一部に夢や願いごとあるいは達成したい目標といった文字などを記入することのできる書き込み欄４を設け、その容器１に夢や願いごとあるいは達成したい目標を記入することのできる書き込み欄５を設けたコイン状のもの２を入れることのできるスペースを持つことを特徴とした容器１と、夢や目標への思いを積み上げるためのコイン状のもの２を用意することを特徴とした容器具。
【請求項２】
容器１は、つまみあげることのできる若しくは開けることのできるふた部分３と容器本体からなり、容器１やコイン状のもの２はその材質を紙にしてあらかじめ切り抜き等の線を記した展開図を用意すればペーパークラフトのように作り上げることもでき、またその材質をプラスチックにして部品を用意すれば模型のように作り上げることもできる請求項１の容器具。
【請求項３】
容器１及びコイン状のもの２は、図ではランプとコインをイメージする形状になっているが、容器１を宝石箱のような形にしたり、コイン状のもの２を金の延棒の形や宝石箱に入れる宝石の形にするなど組み合わせを自由に設定することもできる請求項１の容器具。
【考案の詳細な説明】
【技術分野】
【０００１】  本考案品は、自分の夢や目標や願いごとを明確にして、それに向かっての思考、行動等への熱意を持続するために、毎日あるいは定期不定期的に、夢や願いごとや目標を記入し、さらに記入したものをコインや宝石等に見たて、それを容器に入れて積み上げていくことで、夢や願いごとや目標への思いを書き溜めて目に見えるものにし、夢の実現や目標の達成に向けての熱意を持続させ、日々の思考や行動のきっかけになるようにした容器具に関するものである。
【背景技術】
【０００２】  従来、夢や願いごとや目標を達成するための行動のきっかけとして、あるいは熱意を持続するためのものとして、壁などに目標や願いごと等を書いた紙を貼りだすことで動機づけにするということがあった。【０００３】  実際には、人にはあきらめやすい一面や目標達成そのものへの熱意がしぼむ一面もあり、三日坊主という言葉があるように、夢や願いごとをかなえたり、目標を達成したりすることへチャレンジするエネルギーが続かないことも多いものであった。【０００４】  第三者からの叱咤激励やフォローがない状態で自分の夢の実現や目標の達成のためにエネルギーを燃やし続けるためには、自分の意思の力だけに頼るしかなく、熱意を持続させるのに困難な面があった。これは、自分で熱意を持続させるための道具、日々のチャレンジのための思考や行動を起こすきっかけとなる道具、しぼみかけた熱意を再点火するための手軽な道具といったものが存在しなかったことがある。
【考案の開示】
【考案が解決しようとする課題】
【０００５】  自分の夢や目標や願いごとに対しての熱意や思い入れは、普通の人であれば時の経過とともに薄れる場合が多く、夢や目標や願いごとへの努力が挫折することもあった。まして、その挫折を防ぎ、夢や目標や願いごとに向けての熱意や思い入れを持続させて、決して薄れさせないための道具はなかった。自分の夢や目標や願いごとを明確にし、それに向けての毎日の思考や毎日の行動等を起こすためのきっかけとなる道具、さらに夢や願いごとや目標への熱い思いを目に見える形に積み上げることのできる道具はなかった。本考案は前述の課題を解決しようとするものである。
【課題を解決するための手段】
【０００６】  前記課題を解決するために本考案は、内部若しくは一部に夢や願いごとあるいは達成したい目標等を記入することのできる書き込み欄４を設けた容器１と、その容器１に入れるための、夢や願いごとや目標を記入することのできる書き込み欄５を設けたコイン状のもの２を用意することを特徴とした容器具である。
【考案の効果】
【０００７】  本考案の効果として、毎日、夢や願いごとや目標をコイン状のもの２に記入し、それを容器１に入れて溜め込んでいくことで自らの熱い思いが積み上がるのを目で確認でき、夢の実現や目標達成までの熱意や行動のエネルギーを刺激し、夢や目標や願いごと実現への熱意、思い入れを持続させることができ、夢や目標や願いごとの実現を支援することになる。【０００８】  また、目標に向けての当初の熱意が薄れてきたり、日によっては、気分が乗らない時であっても夢や目標をコイン状のもの２に書くことで、日々の具体的な行動のきっかけとなり、容器１にそれまで積み上がってきた思いを目で確認することができることから、自分に自信を与え、夢や目標や願いごと実現に向けて努力することの思考や行動に前向きの影響を与えることにもつながる。
【考案を実施するための最良の形態】
【０００９】  本考案は、書き込み欄４に自分の夢や目標や願いごとを記入した容器１を、毎日目にすることで、自分で決めた夢や目標や願いごとそのものを再認識できるものである。
また、毎日毎日自分の夢や願いごとや目標を書き込み欄５を設けたコイン状のもの２に記入することで、より強く自分の夢や目標を意識することができる。
さらに、そのコイン状のもの２を容器１に入れて貯金箱にコインを貯め込んでいくようにすることで、自分の書いたものが積み上がっていくことを確認でき、夢の実現や目標達成までの熱意をより持続させることができるものである。
【実施例】
【００１０】  以下、添付図面に従って実施例を説明する。図１に容器１が示されている。容器１は、ふた３を持ち上げて、中にコイン状のもの２を入れることのできるものである。【００１１】  容器１は、内側や容器の一部に書き込み欄４が用意されており、自分の夢や願いごとや目標を記入することができる。【００１２】  各コイン状のもの２にも、記入できる書き込み欄５があり、毎日あるいは定期不定期的に、自分の夢や願いごとや目標そのものを記入することができる。【００１３】  コイン状のもの２に自分の夢や目標を記入した後、それを容器１に入れて積み上げることで、ちょうど貯金箱にお金が積み上がるように、夢や目標への熱い思い入れが積み上がることがイメージできることになる。容器１そのものを目にすることと、コイン状のもの２に記入すること、さらにそれを容器１に入れて積み上げることで、夢の実現や目標の達成に向けての熱意を持続させることができ、場合によってはしぼみかけた熱意を再点火することにもなる。【００１４】  コイン状のもの２の書き込み欄５に、毎日、夢や目標や願いごとそのものを記入することが、毎日やろうとしていることや決めたことへの行動を起こすための、まさにきっかけとなることにもつながってくる。【００１５】  容器１に、コイン状のもの２が積み上がることは、自分にとっての安心感、自信にもなり、せっかくここまで積み上げて来たのだ、頑張って来たのだという意識につながり、前向きな思考や行動に資することとなる。【００１６】  本考案の活用例として、自分の夢や目標や願いごとに関してはもちろんのこと、ビジネス上の努力目標達成のための動機づけや進学、就職のための受験、さらには病気入院中の人への治癒、回復に向けての精神的な支え、ダイエット達成までの動機づけなど幅広く利用することができる。
【図面の簡単な説明】
【００１７】
【図１】  本考案容器具の斜視図
【図２】  容器具１のふた３を外した時の平面図
【符号の説明】
【００１８】  １    容器
２    コイン状のもの
３    ふた
４    書き込み欄
５    書き込み欄
【図１】
0003118792.tif 000003
【図２】
0003118792.tif 000004
【手続補正書】
【提出日】平成17年8月10日(2005.8.10)
【手続補正１】
【補正対象書類名】実用新案登録請求の範囲
【補正対象項目名】全文
【補正方法】変更
【補正の内容】
【実用新案登録請求の範囲】
【請求項１】
容器１の内部若しくは一部に夢や願いごとあるいは達成したい目標といった文字などを記入することのできる書き込み欄４を設け、その容器１に夢や願いごとあるいは達成したい目標を記入することのできる書き込み欄５を設けたコイン状のもの２を入れることのできるスペースを持つことを特徴とした容器１と、夢や目標への思いを積み上げるためのコイン状のもの２を用意することを特徴とした容器具。
【請求項２】
容器１は、つまみあげることのできる若しくは開けることのできるふた部分３と容器本体からなり、容器１やコイン状のもの２はその材質を紙にしてあらかじめ切り抜き等の線を記した展開図を用意すればペーパークラフトのように作り上げることもでき、またその材質をプラスチックにして部品を用意すれば模型のように作り上げることもできる請求項１の容器具。
【請求項３】
容器１とコイン状のもの２との組み合わせは、ランプとコインをイメージする形状であったり、容器１を宝石箱のような形にした場合には、コイン状のもの２を宝石箱に入れる宝石の形にしたり、金の延棒の形にするなどそれぞれの形状の組み合わせを自由に設定することもできる請求項１の容器具。